(57)【特許請求の範囲】
【請求項１】
基地局が、ユーザ機器に非周期的トリガーシグナルを送信し、
前記ユーザ機器が、前記非周期的トリガーシグナルを受信し、前記非周期的トリガーシグナルに基づいてフィードバックする必要のあるダウンリンクコンポーネントキャリアＤＬ−ＣＣを確定し、
前記ユーザ機器が、確定したＤＬ−ＣＣの非周期的フィードバックをトリガーするステップを含み、
前記ユーザ機器にＤＬ−ＣＣとアップリンク制御チャネルＵＬ  ＣＣの対応関係を記憶し、
前記非周期的トリガーシグナルに基づいてフィードバックする必要のあるＤＬ−ＣＣを確定するステップが、
前記ユーザ機器が前記非周期的トリガーシグナルを含むスケジューリング情報に基づいて第１のＵＬ  ＣＣを確定し、記憶したＤＬ−ＣＣとＵＬ  ＣＣの対応関係に基づいて前記第１のＵＬ  ＣＣに対応するＤＬ−ＣＣを探し、探し出したＤＬ−ＣＣをフィードバックする必要のあるＤＬ−ＣＣとして確定するステップを含み、
前記第１のＵＬ  ＣＣが、非周期的フィードバック情報を含む物理アップリンク共有チャネルを送信するアップリンクコンポーネントキャリアであることを特徴とするキャリアアグリゲーション時の非周期的フィードバック方法。
【請求項２】
基地局が予め高階層シグナルを介して、非周期的トリガーシグナルを受信するＤＬ−ＣＣとフィードバックする必要のあるＤＬ−ＣＣとの対応関係である第１の対応関係を配置するステップをさらに含み、
前記非周期的トリガーシグナルに基づいてフィードバックする必要のあるダウンリンクコンポーネントキャリアを確定するステップが、前記ユーザ機器が前記第１の対応関係に基づいて前記非周期的トリガーシグナルを含むＤＬ−ＣＣに対応するフィードバックする必要のあるＤＬ−ＣＣを確定するステップを含むことを特徴とする請求項１に記載の方法。
【請求項３】
前記非周期的トリガーシグナルが、物理アップリンク共有チャネルスケジューリング情報を含むダウンリンク制御情報フォーマットＤＣＩ  Ｆｏｒｍａｔ  ドメインに位置し、前記非周期的トリガーシグナルオーバーヘッドが１ビットで、非周期的フィードバックをトリガーするか否かを示すことを特徴とする請求項１又は２に記載の方法。
【請求項４】
前記ユーザ機器がフィードバックする必要のあるＤＬ−ＣＣが複数のＤＬ−ＣＣであると確定し、前記ユーザ機器が確定したＤＬ−ＣＣの非周期的フィードバックをトリガーするステップが、
前記ユーザ機器が前記複数のＤＬ−ＣＣのチャネル品質情報を周波数の高い順又はＤＬ−ＣＣのインテックスの高い順に配列し、配列後の複数のＤＬ−ＣＣのチャネル品質情報を前記基地局に送信するステップを含むことを特徴とする請求項１又は２に記載の方法。
【請求項５】
ユーザ機器に非周期的トリガーシグナルを送信する基地局と、
前記基地局からの非周期的トリガーシグナルを受信する受信ブロックと、前記非周期的トリガーシグナルに基づいてフィードバックする必要のあるＤＬ−ＣＣを確定し、また、確定したＤＬ−ＣＣの非周期的フィードバックをトリガーするトリガーブロックとを含むユーザ機器と、を含み、
前記ユーザ機器にＤＬ−ＣＣとアップリンク制御チャネルＵＬ  ＣＣの対応関係を記憶し、
前記トリガーブロックが前記非周期的トリガーシグナルに基づいてフィードバックする必要のあるＤＬ−ＣＣを確定するステップが、
前記トリガーブロックが前記非周期的トリガーシグナルを含むスケジューリング情報に基づいて第１のＵＬ  ＣＣを確定し、記憶したＤＬ−ＣＣとＵＬ  ＣＣの対応関係に基づいて前記第１のＵＬ  ＣＣに対応するＤＬ−ＣＣを探し、探し出したＤＬ−ＣＣをフィードバックする必要のあるＤＬ−ＣＣとして確定するステップを含み、
前記第１のＵＬ  ＣＣが、非周期的フィードバック情報を含む物理アップリンク共有チャネルを送信するアップリンクコンポーネントキャリアであることを特徴とするキャリアアグリゲーション時の非周期的フィードバックシステム。
【発明の詳細な説明】
【技術分野】
【０００１】
本発明は、通信分野に関し、具体的には、キャリアアグリゲーション時の非周期的フィードバック方法及びシステムに関する。
【背景技術】
【０００２】
長期的進化（ＬＴＥ、Long  Term  Evolution）システムにおける無線フレーム（radio  frame）は、周波数分割二重通信（ＦＤＤ、Frequency  Division  Duplex）モードと、時分割二重通信（ＴＤＤ、Time  Division  Duplex）モードのフレーム構造を含む。ＦＤＤモードのフレーム構造は、図１に示すように、１０ミリ秒（ｍｓ）の無線フレームは、２０個の長さが０.５ｍｓで、番号が０〜１９であるタイムスロット（slot）から構成され、タイムスロット２ｉと２ｉ+１により長さが１ｍｓであるサブフレームｉ（sub-frame）を構成する。ＴＤＤモードのフレーム構造は、図２に示すように、１０ｍｓの無線フレームは、二つの長さが５ｍｓであるハーフフレーム（half  frame）から構成され、一つのハーフフレームは５個の長さが１ｍｓであるサブフレームを含み、二つの長さが０.５ｍｓであるタイムスロット２ｉと２ｉ+１をサブフレームｉと定義する。上記２種類のフレーム構造において、標準サイクリックプレフィックス（Normal  CP、Normal  Cyclic  Prefix）の場合、タイムスロットは７個の長さが６６.７マイクロ秒（ｕｓ）のシンボルを含み、その中の一番目のシンボルのＣＰ長さは５.２１ｕｓで、残りの６個のシンボルの長さは４.６９ｕｓであって、拡張サイクリックプレフィックス（Extended  CP、Extended  Cyclic  Prefix）の場合、タイムスロットは６個のシンボルを含み、全てのシンボルのＣＰ長さはいずれも１６.６７ｕｓである。
【０００３】
ユーザ機器（ＵＥ、User  Equipment）は、ダウンリンクパイロット（参照信号）に基づいてダウンリンクチャネルの品質情報を取得し、その後、取得したダウンリンクチャネル品質情報をｅＮＢ（基地局）にフィードバックし、基地局はＵＥがフィードバックしたダウンリンクチャネル品質情報に基づいて、ＵＥに送信するデータの符号化変調方式と物理リソース位置、及び伝送モードを確定し、ＵＥがダウンリンクチャネル品質情報をフィードバックする方式は、規定された周期に従ってフィードバックする周期的フィードバックと基地局がダウンリンクシグナルを介してＵＥによるフィードバックをトリガーする非周期的フィードバックとの２種類がある。
【０００４】
ＬＴＥシステムにおいて、基地局はダウンリンク制御情報（ＤＣＩ、Downlink  Control  Information）ｆｏｒｍａｔ０中の１ビットのシグナルを介してＵＥによる非周期的フィードバックをトリガーし、また、フィードバック情報はＰＵＳＣＨチャネルに含まれ、ＤＣＩ情報は物理ダウンリンク制御チャネル（ＰＤＣＣＨ、Physical  Downlink  Control  Channel）を介して伝送される。
【０００５】
高級長期的進化システム（ＬＴＥ−Ａ、Long-Term  Evolution  Advanced）は、ＬＴＥ  Ｒｅｌｅａｓｅ−８の進化バージョンである。国際電気通信連合無線通信総合により提出された高級国際無線通信システムの訴求においては後向互換性を要求している。ＬＴＥ−ＡｄｖａｎｃｅｄとＬＴＥ  Ｒｅｌｅａｓｅ−８との後向互換性の訴求とは、ＬＴＥ  Ｒｅｌｅａｓｅ−８のユーザ機器がＬＴＥ−Ａｄｖａｎｃｅｄのネットワークで動作可能であって、ＬＴＥ−Ａｄｖａｎｃｅｄのユーザ機器がＬＴＥ  Ｒｅｌｅａｓｅ−８のネットワークで動作可能であることである。また、ＬＴＥ−Ａｄｖａｎｃｅｄは、ＬＴＥ  Ｒｅｌｅａｓｅ−８より幅広いスペクトル配置を含むサイズの異なるスペクトル配置（例えば、１００ＭＨｚの連続するスペクトルリソース）で動作し、さらに高い性能及び目標ピーク速度を実現することができる。ＬＴＥ  Ｒｅｌｅａｓｅ−８との交換性を考慮し、２０ＭＨｚを超える帯域幅の場合、スペクトルアグリゲーション（Carrier  aggregation）の方式を用いていて、即ち、二つ又はその以上のコンポーネントキャリア（Component  Carrier）をアグリゲーションして２０ＭＨｚを超えるダウンリンク伝送の帯域幅を支援し、ＬＴＥ−Ａシステムにおいて、ダウンリンクコンポーネントキャリアＤＬ−ＣＣによる他のＤＬ−ＣＣのスケジューリング情報（ＤＣＩ  Ｆｏｒｍａｔ）の送信を支援し、且つ、スケジューリングされたＤＬ−ＣＣ又はＵＬ  ＣＣを標記するため、ＤＣＩ  Ｆｏｒｍａｔドメインにキャリア識別子（ＣＩ、Carrier  Indicator）シグナルを導入した。
【０００６】
本願発明者は、複数のコンポーネントキャリアをアグリゲーションする場合、関連技術において非周期的トリガーシグナルを定義せず、即ち、非周期的トリガーシグナルが非周期においてどのコンポーネントキャリアのダウンリンクチャネル品質情報をトリガーするかを示していないので、ＵＥが非周期的トリガーシグナルに基づいてどのダウンリンクコンポーネントキャリアをフィードバックするかを確定できず、基地局がダウンリンクデータ伝送の性能を保証できなくなってしまうことを発見した。当該問題について、未だに有効な解決案が提示されていない。
【発明の概要】
【発明が解決しようとする課題】
【０００７】
本発明は、上記問題を解決できるキャリアアグリゲーション時の非周期的フィードバック方法及びシステムを提供することをその目的とする。
【課題を解決するための手段】
【０００８】
本発明の一態様によると、基地局がユーザ機器に非周期的トリガーシグナルを送信し、ユーザ機器が前記非周期的トリガーシグナルを受信し、非周期的トリガーシグナルに基づいてフィードバックする必要のあるダウンリンクコンポーネントキャリアＤＬ−ＣＣを確定し、ユーザ機器が確定したＤＬ−ＣＣの非周期的フィードバックをトリガーするステップを含むキャリアアグリゲーション時の非周期的フィードバック方法を提供する。
【０００９】
本発明の他の一態様によると、ユーザ機器に非周期的トリガーシグナルを送信する基地局と、基地局からの非周期的トリガーシグナルを受信する受信ブロックと非周期的トリガーシグナルに基づいてフィードバックする必要のあるＤＬ−ＣＣを確定し、また、確定したＤＬ−ＣＣの非周期的フィードバックをトリガーするトリガーブロックとを含むユーザ機器と、を含むキャリアアグリゲーション時の非周期的フィードバックシステムを提供する。
【発明の効果】
【００１０】
本発明によると、ユーザ機器が基地局によるトリガーを受信した場合、まずフィードバックする必要のあるＤＬ−ＣＣを確定し、その後当該ＤＬ−ＣＣの非周期的フィードバックをトリガーし、キャリアアグリゲーション時に非周期的トリガーシグナルに基づいてどのダウンリンクコンポーネントキャリアをフィードバックするかを確定できない問題を解決し、フィードバックする必要のないＤＬ−ＣＣのアップリンクフィードバックを有効に減少し、基地局はユーザ機器がフィードバックした情報に基づいてリソース割り当てを調節し、ダウンリンクデータ伝送の性能を保証できる。
【図面の簡単な説明】
【００１１】
ここで説明する図面は本発明を理解させるためのもので、本発明の一部を構成し、本発明における実施例と共に本発明を解釈し、本発明を不当に限定するものではない。
【図１】関連技術に係るＦＤＤモードのフレーム構造を示す図である。
【図２】関連技術に係るＴＤＤモードのフレーム構造を示す図である。
【図３】本発明の実施例に係るキャリアアグリゲーション時の非周期的フィードバックシステムの構造を示すブロック図である。
【図４】本発明の実施例に係るキャリアアグリゲーション時の非周期的フィードバック方法を示すフローチャートである。
【図５】本発明の実施例１に係るキャリアアグリゲーション時の非周期的フィードバック方法を示すフローチャートである。
【図６】本発明の実施例２に係るキャリアアグリゲーション時の非周期的フィードバック方法を示すフローチャートである。
【図７】本発明の実施例３に係るキャリアアグリゲーション時の非周期的フィードバック方法を示すフローチャートである。
【図８】本発明の実施例４に係るキャリアアグリゲーション時の非周期的フィードバック方法を示すフローチャートである。
【図９】本発明の実施例５に係るキャリアアグリゲーション時の非周期的フィードバック方法を示すフローチャートである。
【図１０】本発明の実施例６に係るキャリアアグリゲーション時の非周期的フィードバック方法を示すフローチャートである。
【図１１】本発明の実施例７に係るキャリアアグリゲーション時の非周期的フィードバック方法を示すフローチャートである。
【図１２】本発明の実施例８に係るキャリアアグリゲーション時の非周期的フィードバック方法を示すフローチャートである。
【発明を実施するための形態】
【００１２】
以下、図面を参照しつつ実施例に合わせ、本発明を詳しく説明する。ここで、互いに矛盾しない限り、本願に記載の実施例及び当該実施例に記載の特徴を互いに組み合わせることができる。
【００１３】
キャリアがアグリゲーションされた時、基地局は非周期的トリガーシグナルを送信することによってＵＥによる非周期的フィードバックをトリガーし、ＵＥは当該シグナルに基づいてどのダウンリンクコンポーネントキャリアをトリガーするかを確定して非周期的フィードバックプロセスを完成する。これに基づいて、本発明の実施例によると、キャリアアグリゲーション時の非周期的フィードバックシステムを提供し、図３に示すように、当該システムは、
ＵＥ３０４に非周期的トリガーシグナルを送信する基地局３０２と、
基地局３０２からの非周期的トリガーシグナルを受信する受信ブロック３０４１と、非周期的トリガーシグナルに基づいてフィードバックする必要のあるＤＬ−ＣＣを確定し、また、確定したＤＬ−ＣＣの非周期的フィードバックをトリガーするトリガーブロック３０４２とを含むＵＥ３０４と、
を含む。
【００１４】
本実施例によるＵＥは、基地局によるトリガーを受信した場合、まずフィードバックする必要のあるＤＬ−ＣＣを確定し、その後、当該ＤＬ−ＣＣの非周期的フィードバックをトリガーし、フィードバックする必要のないＤＬ−ＣＣのアップリンクフィードバックを有効に減少し、基地局はＵＥがフィードバックした情報に基づいてリソースの割り当てを調節し、ダウンリンクデータ伝送の性能を保証できる。
【００１５】
上記システムに基づいて、本発明の実施例によると、また、キャリアアグリゲーション時の非周期的フィードバック方法を提供し、図４に示すように、当該方法は以下のステップを含む。
【００１６】
基地局は、ＵＥに非周期的トリガーシグナルを送信する（ステップ４０２）。
【００１７】
ＵＥは、非周期的トリガーシグナルを受信し、当該非周期的トリガーシグナルに基づいてフィードバックする必要のあるＤＬ−ＣＣを確定する（ステップ４０４）。
【００１８】
ＵＥは、確定したＤＬ−ＣＣの非周期的フィードバックをトリガーする（ステップ４０６）。
【００１９】
本実施例のＵＥは、基地局によるトリガーを受信した場合、まず、フィードバックする必要のあるＤＬ−ＣＣを確定し、その後、当該ＤＬ−ＣＣの非周期的フィードバックをトリガーし、フィードバックする必要のないＤＬ−ＣＣのアップリンクフィードバックを有効に減少し、基地局はＵＥがフィードバックした情報に基づいてリソース割り当てを調節し、ダウンリンクデータ伝送の性能を保証できる。
【００２０】
キャリア間スケジューリングを行う場合、非周期的トリガーシグナルがキャリア間スケジューリングを行うキャリア識別子シグナルであることが好ましい。
【００２１】
ＵＥがフィードバックする必要のあるＤＬ−ＣＣが複数のＤＬ−ＣＣであると確定した場合、上記ＵＥが確定したＤＬ−ＣＣの非周期的フィードバックをトリガーするステップが、ＵＥが上記複数のＤＬ−ＣＣのチャネル品質情報を周波数の高さ又はＤＬ−ＣＣのインテックスの高さに応じて配列し、配列後の複数のＤＬ−ＣＣのチャネル品質情報を基地局に送信するステップを含むことが好ましい。例えば、周波数が高い順に又は低い順に配列することができ、又は、ＤＬ−ＣＣのインテックスが高い順又は低い順に配列することができる。
【００２２】
フィードバックする必要のあるＤＬ−ＣＣを確定する方法はさまざまで、例えば、暗示的暗示的（connotation）マッピング方式、予め定義された方式又はシグナル指示方式等があって、その中、暗示的マッピング方式は、
１）ＵＥが、非周期的トリガーシグナルを含むＤＬ−ＣＣをフィードバックする必要のあるＤＬ−ＣＣとして確定する方式と、
２）ＵＥが、非周期的トリガーシグナルを含むＤＬ−ＣＣを第１のＤＬ−ＣＣと確定し、ＵＥが当該第１のＤＬ−ＣＣにてスケジューリング情報を送信する全てのＤＬ−ＣＣをフィードバックする必要のあるＤＬ−ＣＣとして確定する方式と、
３）ＵＥにＤＬ−ＣＣとアップリンク制御チャネルＵＬ  ＣＣとの対応関係を記憶し、ＵＥが非周期的トリガーシグナルを含むスケジューリング情報に基づいて第１のＵＬ  ＣＣを確定し、記憶したＤＬ−ＣＣとＵＬ  ＣＣとの対応関係に基づいて第１のＵＬ  ＣＣに対応するＤＬ−ＣＣを探し、探し出したＤＬ−ＣＣをフィードバックする必要のあるＤＬ−ＣＣとして確定する方式の中のいずれかであることができる。その中、第１のＵＬ  ＣＣは非周期的フィードバック情報を含む物理アップリンク共有チャネルを送信するアップリンクコンポーネントキャリアである。
【００２３】
予め定義された方式でフィードバックする必要のあるＤＬ−ＣＣを確定する場合、以下の方法をとることができる：
１）基地局が、ＵＥが所定のＤＬ−ＣＣでデータを受信するように予め配置し、ＵＥが当該所定のＤＬ−ＣＣ中の一つのＤＬ−ＣＣで非周期的トリガーシグナルを受信した場合、当該所定のＤＬ−ＣＣをフィードバックする必要のあるＤＬ−ＣＣとして確定する。その中、所定のＤＬ−ＣＣは基地局が当該ユーザ機器に予め配置したデータ受信能力を有する全てのＤＬ−ＣＣであるので、所定のＤＬ−ＣＣは複数のＤＬ−ＣＣであることができる。
２）基地局は、予め高階層シグナルを介して、非周期的トリガーシグナルを受信するＤＬ−ＣＣとフィードバックする必要のあるＤＬ−ＣＣとの対応関係である第１の対応関係を配置し、ＵＥが第１の対応係関に基づいて非周期的トリガーシグナルを含むＤＬ−ＣＣに対応するフィードバックする必要のあるＤＬ−ＣＣを確定する。
上記暗示的マッピング方式と予め定義された方式における非周期的トリガーシグナルは、物理アップリンク共有チャネルのスケジューリング情報を含むＤＣＩ  Ｆｏｒｍａｔ（ダウンリンク制御情報フォーマット）ドメインに位置する。
【００２４】
シグナル指示方式でフィードバックする必要のあるＤＬ−ＣＣを確定する場合、以下の方法をとることができる。
１）非周期的トリガーシグナルはｎビットで、ｎは１を超えていて、ｎビット中の各ビットが一つのＤＬ−ＣＣに対応し、また、ビットの値が所定値である場合、当該ビットに対応するＤＬ−ＣＣの非周期的フィードバックをトリガーすることを示し、ＵＥは、当該非周期的トリガーシグナルを受信した場合、当該ｎビットに上記所定値があるか否かを判定し、当該ｎビットに上記所定値がある場合、当該所定値が位置するビットに対応するＤＬ−ＣＣをフィードバックする必要のあるＤＬ−ＣＣとして確定する。
２）非周期的トリガーシグナルはｎビットで、ｎは１を超えていて、該ｎビットの１０進数は一つのＤＬ−ＣＣに対応し、又は非周期的フィードバックをトリガーしないことに対応する。ＵＥは、当該非周期的トリガーシグナルを受信した場合、当該ｎビットの１０進数に対応するＤＬ−ＣＣをフィードバックする必要のあるＤＬ−ＣＣとして確定する。
【００２５】
上記非周期的フィードバック情報を含む物理アップリンク共有チャネルを送信するアップリンクキャリアは、基地局が高階層シグナルを介して予め定義したものである。
【００２６】
シグナル指示方式中のｎは、システムにおける集積（アグリゲーション）する最大コンポーネントキャリア数量、基地局がＵＥに配置した物理ダウンリンク共有チャネルＰＤＳＣＨを送信するＤＬ−ＣＣ数量、基地局がＵＥに配置した一つのＤＬ−ＣＣでスケジューリングするＤＬ−ＣＣの最大キャリア数量、基地局がＵＥに配置した非周期トリガーシグナルを送信するＤＬ−ＣＣにてスケジューリングするＤＬ−ＣＣの最大キャリア数量の中の一つである。
【００２７】
以下、具体的な実施例によって上記三つの形態を説明し、その中、実施例１〜７による方法をキャリア間スケジューリングに応用できると共に、非キャリア間スケジューリングにも応用でき、実際応用において、これらの方法を任意に組み合わせることができる。例えば、実施例１〜７からいずれかの二つの方法を選択して、一つはキャリア間スケジューリングに応用し、他の一つは非キャリア間スケジューリングに応用することができる。
【００２８】
実施例１
本実施例によると、キャリアアグリゲーション時の非周期的フィードバック方法を提供し、その中、ＵＥが支援するＤＬ−ＣＣは５個で、ＵＬ  ＣＣは５個であって、ＤＬ−ＣＣとＵＬ  ＣＣはそれぞれ番号を付け、番号に従ってＤＣ−ＣＣとＵＬ  ＣＣとの間で逐一マッピングする。図５に示すように、当該方法は以下のステップを含む。
【００２９】
基地局は、ＤＬ−ＣＣ#３にて非周期的トリガーシグナルを含むＤＣＩ  Ｆｏｒｍａｔを送信する（ステップ５０２）。
【００３０】
ＵＥは、ＤＬ−ＣＣ#３にて非周期的トリガーシグナルを受信した後、ＤＬ−ＣＣ#３の非周期的フィードバックをトリガーする（ステップ５０４）。
【００３１】
本実施例における非周期的トリガーシグナルは１ビットで、非周期的トリガーシグナルはターゲットダウンリンクコンポーネントキャリアの非周期的フィードバックをトリガーすることを示し、その中、ターゲットダウンリンクコンポーネントキャリアはトリガーシグナルを送信するＤＬ−ＣＣである。
【００３２】
本実施例における非周期的トリガーシグナルは物理アップリンク共有チャネルのスケジューリング情報を含むＤＣＩ  Ｆｏｒｍａｔ  ドメインに位置する。
【００３３】
本実施例のＵＥは、非周期的トリガーシグナルを受信するＤＬ−ＣＣをフィードバックする必要のあるＤＬ−ＣＣとし、キャリアアグリゲーション時にフィードバックする必要のあるＤＬ−ＣＣを確定できない問題を解決し、且つ、当該方法は実現が簡単で、如何なるシグナルオーバーヘッドも追加していない。同時に、フィードバックする必要のないＤＬ−ＣＣのアップリンクフィードバックを有効に減少し、基地局はＵＥがフィードバックした情報に基づいてリソース割り当てを調節し、ダウンリンクデータ伝送の性能を保証できる。
【００３４】
実施例２
本実施例によると、キャリアアグリゲーション時の非周期的フィードバック方法を提供し、その中、ＵＥが支援するＤＬ−ＣＣは４個で、ＵＬ  ＣＣは４個であって、ＤＬ−ＣＣとＵＬ  ＣＣはそれぞれ番号をつけ、番号に従ってＤＬ−ＣＣとＵＬ  ＣＣとの間で逐一マッピングし、ＵＥの場合、ＤＬ−ＣＣ#１とＤＬ−ＣＣ#２のＰＤＳＣＨのスケジューリング情報をＤＬ−ＣＣ#２にて送信し、ＤＬ−ＣＣ#３とＤＬ−ＣＣ#４のＰＤＳＣＨのスケジューリング情報をＤＣＬ−ＣＣ#３にて送信する。図６に示すように、当該方法は以下のステップを含む。
【００３５】
基地局は、ＤＬ−ＣＣ#３にて非周期的トリガーシグナルを含むＤＣＩ  Ｆｏｒｍａｔを送信する（ステップ６０２）。
【００３６】
ＵＥは、ＤＬ−ＣＣ#３にて非周期的トリガーシグナルを受信した後、ＤＬ−ＣＣ#３とＤＬ−ＣＣ#４の非周期的フィードバックをトリガーする（ステップ６０４）。
【００３７】
本実施例における非周期的トリガーシグナルは１ビットで、非周期的トリガーシグナルは、ターゲットダウンリンクコンポーネントキャリアの非周期的フィードバックをトリガーすることを示し、その中、ターゲットダウンリンクコンポーネントキャリアはトリガーシグナルを送信するＤＬ−ＣＣでＵＥがスケジューリング可能の全てのＤＬ−ＣＣである。
【００３８】
本実施例における非周期的トリガーシグナルは、物理アップリンク共有チャネルのスケジューリング情報を含むＤＣＩ  Ｆｏｒｍａｔ  ドメインに位置する。
【００３９】
本実施例のＵＥは、非周期的トリガーシグナルを受信するＤＬ−ＣＣ#３に対応するＤＬ−ＣＣ#３とＤＬ−ＣＣ#４をフィードバックする必要のあるＤＬ−ＣＣとし、キャリアアグリゲーション時にフィードバックする必要のあるＤＬ−ＣＣを確定できない問題を解決し、且つ、当該方法は実現が簡単で、如何なるシグナルオーバーヘッドも追加していない。同時に、フィードバックする必要のないＤＬ−ＣＣのアップリンクフィードバックを有効に減少し、基地局はＵＥがフィードバックした情報に基づいてリソース割り当てを調節し、ダウンリンクデータ伝送の性能が保証できる。
【００４０】
実施例３
本実施例によると、キャリアアグリゲーション時の非周期的フィードバック方法を提供し、その中、ＵＥが支援するＤＬ−ＣＣは４個で、ＵＬ  ＣＣは２個であって、ＤＬ−ＣＣとＵＬ  ＣＣはそれぞれ番号をつけ、ＵＥの場合、ＤＬ−ＣＣ#１とＤＬ−ＣＣ#２がＵＬ  ＣＣ#１に対応し、ＤＬ−ＣＣ#３とＤＬ−ＣＣ#４がＵＬ  ＣＣ#２に対応し、図７に示すように、当該方法は以下のステップを含む。
【００４１】
基地局は、ＤＬ−ＣＣ#３にて非周期的トリガーシグナルを含むＤＣＩ  Ｆｏｒｍａｔを送信する（ステップ７０２）。
【００４２】
ＵＥは、ＤＬ−ＣＣ#３にて非周期的トリガーシグナルを受信した後、非周期的トリガーシグナルを含むＤＣＩ  ＦｏｒｍａｔがＵＬ  ＣＣ#２にてＰＵＳＣＨを送信していることを示すと確定した場合、ＤＬ−ＣＣ#３とＤＬ−ＣＣ#４の非周期的フィードバックをトリガーする（ステップ７０４）。
【００４３】
その中、ＵＬ  ＣＣに対応するＤＬ−ＣＣ情報は、基地局がシグナルを介してＵＥに配置するものである。
【００４４】
本実施例における非周期的トリガーシグナルは１ビットで、非周期的トリガーシグナルは、ターゲットダウンリンクコンポーネントキャリアの非周期的フィードバックをトリガーすることを示し、その中、ターゲットダウンリンクコンポーネントキャリアは、非周期的フィードバック情報を送信する物理アップリンク共有チャネルが位置するＵＬ  ＣＣに対応する全てのＤＬ−ＣＣである。
【００４５】
本実施例における非周期的トリガーシグナルは、物理アップリンク共有チャネルのスケジューリング情報を含むＤＣＩ  Ｆｏｒｍａｔ  ドメインに位置する。
【００４６】
本実施例のＵＥは、非周期的トリガーシグナルを受信するＤＬ−ＣＣ#３に基づいてＵＬ  ＣＣ#２を確定し、ＵＬ  ＣＣに対応するＤＬ−ＣＣ情報に基づいてＤＬ−ＣＣ#３とＤＬ−ＣＣ#４をフィードバックする必要のあるＤＬ−ＣＣと確定し、キャリアアグリゲーション時にフィードバックする必要のあるＤＬ−ＣＣを確定できない問題を解決し、且つ、当該方法は実現が簡単であり、如何なるシグナルオーバーヘッドも追加していない。同時に、フィードバックする必要のないＤＬ−ＣＣのアップリンクフィードバックを有効に減少し、基地局はＵＥがフィードバックした情報に基づいてリソース割り当てを調節し、ダウンリンクデータ伝送の性能を保証することができる。
【００４７】
実施例４
本実施例によると、キャリアアグリゲーション時の非周期的フィードバック方法を提供し、その中、ＵＥが支援するＤＬ−ＣＣは５個で、ＵＬ  ＣＣは５個であって、番号に従ってＤＬ−ＣＣとＵＬ  ＣＣとの間で逐一マッピングし、基地局は、ＵＥがＤＬ−ＣＣ#１、ＤＬ−ＣＣ#２、ＤＬ−ＣＣ#３にてデータを受信するように予め配置した。図８に示すように、当該方法は以下のステップを含む。
【００４８】
基地局は、ＤＬ−ＣＣ#３にて非周期的トリガーシグナルを含むＤＣＩ  Ｆｏｒｍａｔを送信する（ステップ８０２）。
【００４９】
ＵＥは、ＤＬ−ＣＣ#３にて非周期的トリガーシグナルを受信した後、ＤＬ−ＣＣ#１、ＤＬ−ＣＣ#２、ＤＬ−ＣＣ#３の非周期的フィードバックをトリガーする（ステップ８０４）。
【００５０】
本実施例における非周期的トリガーシグナルは１ビットで、非周期的トリガーシグナルは、ターゲットダウンリンクコンポーネントキャリアの非周期的フィードバックをトリガーすることを示し、その中、ターゲットダウンリンクコンポーネントキャリアは、基地局がＵＥに配置したＰＤＳＣＨを伝送する全てのＤＬ−ＣＣである。
【００５１】
本実施例における非周期的トリガーシグナルは、物理アップリンク共有チャネルのスケジューリング情報を含むＤＣＩ  Ｆｏｒｍａｔ  ドメインに位置する。
【００５２】
本実施例のＵＥは、非周期的トリガーシグナルを受信した後、配置情報に基づいてＤＬ−ＣＣ#１、ＤＬ−ＣＣ#２、ＤＬ−ＣＣ#３をフィードバックする必要のあるＤＬ−ＣＣとし、キャリアアグリゲーション時にフィードバックする必要のあるＤＬ−ＣＣを確定できない問題を解決し、且つ、当該方法は実現が簡単で、如何なるシグナルオーバーヘッドも追加していない。同時に、フィードバックする必要のないＤＬ−ＣＣのアップリンクフィードバックを有効に減少し、基地局はＵＥがフィードバックした情報に基づいてリソース割り当てを調節し、ダウンリンクデータ伝送の性能を保証できる。
【００５３】
実施例５
本実施例によると、キャリアアグリゲーション時の非周期的フィードバック方法を提供し、その中、ＵＥが支援するＤＬ−ＣＣは５個で、ＵＬ  ＣＣは５個であって、番号に従ってＤＬ−ＣＣとＵＬ  ＣＣとの間で逐一マッピングし、基地局は高階層（RRC）シグナルを介してＵＥがＤＬ−ＣＣ#３にて非周期的トリガーシグナルを受信した場合ＤＬ−ＣＣ#３とＤＬ−ＣＣ#４の非周期的フィードバックをトリガーするように配置し、図９に示すように、当該方法は以下のステップを含む。
【００５４】
基地局は、ＤＬ−ＣＣ#３にて非周期的トリガーシグナルを含むＤＣＩ  Ｆｏｒｍａｔを送信する（ステップ９０２）。
【００５５】
ＵＥは、ＤＬ−ＣＣ#３にて非周期的トリガーシグナルを受信した後、ＤＬ−ＣＣ#３とＤＬ−ＣＣ#４の非周期的フィードバックをトリガーする（ステップ９０４）。
【００５６】
本実施例における非周期的トリガーシグナルは１ビットで、非周期的トリガーシグナルは、ターゲットダウンリンクコンポーネントキャリアの非周期的フィードバックをトリガーすることを示し、その中、ターゲットダウンリンクコンポーネントキャリアは、基地局により高階層シグナルを介して配置する。
【００５７】
本実施例における非周期的トリガーシグナルは、物理アップリンク共有チャネルのスケジューリング情報を含むＤＣＩ  Ｆｏｒｍａｔ  ドメインに位置する。
【００５８】
本実施例のＵＥは、ＤＬ−ＣＣ#３にて非周期的トリガーシグナルを受信した後、配置情報に基づいてＤＬ−ＣＣ#３とＤＬ−ＣＣ#４をフィードバックする必要のあるＤＬ−ＣＣとし、キャリアアグリゲーション時にフィードバックする必要のあるＤＬ−ＣＣを確定できない問題を解決し、且つ、当該方法は実現が簡単で、如何なるシグナルオーバーヘッドも追加していない。同時に、フィードバックする必要のないＤＬ−ＣＣのアップリンクフィードバックを有効に減少し、基地局はＵＥがフィードバックした情報に基づいてリソース割り当てを調節し、ダウンリンクデータ伝送の性能を保証することができる。
【００５９】
実施例６
本実施例によると、キャリアアグリゲーション時の非周期的フィードバック方法を提供し、その中、ＵＥが支援するＤＬ−ＣＣは５個で、ＵＬ  ＣＣは５個であって、番号に従ってＤＬ−ＣＣとＵＬ  ＣＣとの間で逐一マッピングし、非周期的トリガーシグナルはｎビット（ｎ=５）で、各ビットはＤＬ−ＣＣの非周期的フィードバックをトリガーするか否かを示し、１はトリガーすることを示し、０はトリガーしないことを示し、図１０に示すように、当該方法は以下のステップを含む。
【００６０】
基地局は、ＤＬ−ＣＣ#３にて非周期的トリガーシグナル００１１０を送信する（ステップ１００２）。
【００６１】
ＵＥは、ＤＬ−ＣＣ#３にて非周期的トリガーシグナル００１１０を受信した後、ＤＬ−ＣＣ#３とＤＬ−ＣＣ#４の非周期的フィードバックをトリガーする（ステップ１００４）。
【００６２】
本実施例における非周期的トリガーシグナルはｎビットで、各ビットはＤＬ−ＣＣの非周期的フィードバックをトリガーするか否かを示し、各ビットに対応するＤＬ−ＣＣは互いに異なる。非周期的トリガーシグナルはターゲットダウンリンクコンポーネントキャリアの非周期的フィードバックをトリガーすることを示し、その中、ターゲットダウンリンクコンポーネントキャリアは非周期的トリガーシグナルによって確定されるものである。
【００６３】
本実施例のＵＥは、ＤＬ−ＣＣ#３にて非周期的トリガーシグナル００１１０を受信した後、ＤＬ−ＣＣ#３とＤＬ−ＣＣ#４をフィードバックする必要のあるＤＬ−ＣＣとし、キャリアアグリゲーション時にフィードバックする必要のあるＤＬ−ＣＣを確定できない問題を解決し、且つ、当該方法は実現が簡単である。同時に、フィードバックする必要のないＤＬ−ＣＣのアップリンクフィードバックを有効に減少し、基地局はＵＥがフィードバックした情報に基づいてリソース割り当てを調節し、ダウンリンクデータ伝送の性能を保証することができる。
【００６４】
実施例７
本実施例によると、キャリアアグリゲーション時の非周期的フィードバック方法を提供し、その中、ＵＥが支援するＤＬ−ＣＣは５個で、ＵＬ  ＣＣは５個であって、番号に従ってＤＬ−ＣＣとＵＬ  ＣＣとの間で逐一マッピングし、非周期的トリガーシグナルはｎビット（ｎ=３）で、ＤＬ−ＣＣをトリガーするインテックスとトリガーしない場合を含んで合計６種類の状態を示し、１１１は如何なるＤＬ−ＣＣもトリガーしないことを示し、０００〜１００はそれぞれ、トリガーするＤＬ−ＣＣのインテックスに対応し、図１１に示すように、当該方法は以下のステップを含む。
【００６５】
基地局は、ＤＬ−ＣＣ#３にて非周期的トリガーシグナル０１１を送信する（ステップ１１０２）。
【００６６】
ＵＥは、ＤＬ−ＣＣ#３にて非周期的トリガーシグナル０１１を受信した後、ＤＬ−ＣＣ#３の非周期的フィードバックをトリガーする（ステップ１１０４）。
【００６７】
非周期的トリガーシグナルは、ターゲットダウンリンクコンポーネントキャリアの非周期的フィードバックをトリガーすることを示し、その中、ターゲットダウンリンクコンポーネントキャリアは、非周期的トリガーシグナルによって確定される。本実施例における非周期的トリガーシグナルはｎビットで、非周期的フィードバックをトリガーしたか否か及び非周期的にフィードバックしたＤＬ−ＣＣのインテックスを示す。
【００６８】
本実施例のＵＥは、非周期的トリガーシグナル０１１を受信した後、ＤＬ−ＣＣ#３をフィードバックする必要のあるＤＬ−ＣＣとし、キャリアアグリゲーション時にフィードバックする必要のあるＤＬ−ＣＣを確定できない問題を解決し、且つ、当該方法は実現が簡単である。同時に、フィードバックする必要のないＤＬ−ＣＣのアップリンクフィードバックを有効に減少し、基地局はＵＥがフィードバックした情報に基づいてリソース割り当てを調節し、ダウンリンクデータ伝送の性能を保証することができる。
【００６９】
実施例８
本実施例によると、キャリアアグリゲーション時の非周期的フィードバック方法を提供し、その中、キャリア間スケジューリングを行う場合、非周期的トリガーシグナルはキャリア間スケジューリングを行うキャリア識別子シグナルであって、非周期的にフィードバックしたＰＵＳＣＨを送信するＵＬ  ＣＣは高階層シグナルにより配置されるものである。ＵＥが支援するＤＬ−ＣＣは５個で、ＵＬ  ＣＣは５個であって、非周期的トリガーシグナルはｎビット（ｎ=３）で、ＤＬ−ＣＣをトリガーするインテックスとトリガーしない場合を含んで合計６種類の状態を示し、１１１は如何なるＤＬ−ＣＣもトリガーしないことを示し、０００〜１００はそれぞれトリガーするＤＬ−ＣＣのインテックスに対応し、また、基地局はＵＥが非周期的にフィードバックしたＰＵＳＣＨを送信するＵＬ  ＣＣをＵＬ  ＣＣ１として配置し、キャリア間スケジューリングを行う場合、ＤＣＩ  Ｆｏｒｍａｔにおけるキャリア識別子シグナルを非周期的トリガーシグナルとして再利用する。図１２に示すように、当該方法は以下のステップを含む。
【００７０】
基地局は、ＤＬ−ＣＣ#３にて非周期的トリガーシグナル０１１を送信する（ステップ１２０２）。
【００７１】
ＵＥは、ＤＬ−ＣＣ#３にて非周期的トリガーシグナル０１１を受信した後、ＤＬ−ＣＣ#３の非周期的フィードバックをトリガーする（ステップ１２０４）。
【００７２】
本実施例のＵＥは、非周期的トリガーシグナル０１１を受信した後、ＤＬ−ＣＣ#３をフィードバックする必要のあるＤＬ−ＣＣとし、キャリアアグリゲーション時にフィードバックする必要のあるＤＬ−ＣＣを確定できない問題を解決し、且つ、当該方法は実現が簡単である。同時に、フィードバックする必要のないＤＬ−ＣＣのアップリンクフィードバックを有効に減少し、基地局はＵＥがフィードバックした情報に基づいてリソース割り当てを調節し、ダウンリンクデータ伝送の性能を保証することができる。
【００７３】
上記実施例によると、キャリア間スケジューリングがイネーブルでない場合、システムは実施例１を利用することができ、キャリア間スケジューリングがイネーブルである場合、システムは他の実施例を利用することができる。
【００７４】
ＵＥがＰＵＳＣＨにて複数のＤＬ−ＣＣのチャネル状況を非周期的にフィードバックする場合、各ＤＬ−ＣＣのチャネル情報を周波数の高い順又は低い順に配列し、又は、各ＤＬ−ＣＣのチャネル情報をＤＬ−ＣＣのインテックスの高い順又は低い順に配列し、配列後の複数のＤＬ−ＣＣのチャネル状況をターゲットＵＬ  ＣＣ上のＰＵＳＣＨを介して基地局に送信することができる。
【００７５】
以上の実施例１〜８において、ＵＥが支援するＤＬ−ＣＣとＵＬ  ＣＣは上記具体的な数量に限定されず、需要に応じて支援するＤＬ−ＣＣとＵＬ  ＣＣの数量を配置することができ、これらはいずれも本発明の保護範囲内である。
【００７６】
上述のように、本発明によると以下のような技術効果を生じることができる：本発明の実施例によると、暗示的マッピング、予め定義された方式又はシグナル指示方式で、非周期的フィードバックがトリガーされた場合にフィードバックする必要のあるダウンリンクコンポーネントキャリアを確定し、基地局がダウンリンクコンポーネントキャリアの非周期的フィードバックを柔軟にトリガーすることができ、アップリンクフィードバックの浪費を減少し、ダウンリンクデータ伝送の性能を保証することができる。
【００７７】
当業者にとっては、上記本発明の各ブロック又は各ステップは共通の計算装置によって実現でき、単独の計算装置に集中させることができれば、複数の計算装置から構成されるネットワークに分布させることもでき、さらに計算装置の実行可能なプログラムコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【００７８】
以上は、本発明の好適な実施例に過ぎず、本発明を限定するものではない。当業者であれば本発明に様々な修正や変形が可能である。本発明の精神や原則内で行う如何なる修正、置換、改良なども本発明の保護範囲内に含まれる。
【図１】
0005593437.tif 000002
【図２】
0005593437.tif 000003
【図３】
0005593437.tif 000004
【図４】
0005593437.tif 000005
【図５】
0005593437.tif 000006
【図６】
0005593437.tif 000007
【図７】
0005593437.tif 000008
【図８】
0005593437.tif 000009
【図９】
0005593437.tif 000010
【図１０】
0005593437.tif 000011
【図１１】
0005593437.tif 000012
【図１２】
0005593437.tif 000013